(57)【要約】【課題】ロール方向での向きを適宜変えながら電線または電線束をプロテクタの底壁から浮いたりプロテクタの外郭から突出したりすることなく強固に固定することができるワイヤハーネスを提供する。【解決手段】ワイヤハーネス１のプロテクタ２０は、電線束１１のうちの一部である第１の区間１１Ａを、この第１の区間１１Ａがロール方向に回転することを規制された状態で保持する第１の電線規制部２７と、電線束１１のうちの一部である第２の区間１１Ｂを、この第２の区間１１Ｂがロール方向に回転することを規制された状態で、且つ第１の区間１１Ａに対して捻じれた状態で、保持する第２の電線規制部３６と、を備える。【選択図】図４
2020137212.tif 000002
【特許請求の範囲】
【請求項１】
全体として断面が扁平形状の電線または電線束と、
前記電線または前記電線束が内部に収容されるプロテクタと、
を備え、
前記プロテクタは、
前記電線または前記電線束のうちの一部である第１の区間を、当該第１の区間がロール方向に回転することを規制された状態で保持する第１の電線規制部と、
前記電線または前記電線束のうちの一部である第２の区間を、当該第２の区間がロール方向に回転することを規制された状態で、且つ前記第１の区間に対して捻じれた状態で、保持する第２の電線規制部と、
を備えることを特徴とするワイヤハーネス。
【請求項２】
前記第１の電線規制部は、前記第１の区間を収容するための空間を形成する壁部と、前記壁部の少なくとも一部と前記第１の区間とを周回する結束バンドと、を有し、前記結束バンドが締め付けられることによって、前記第１の区間を前記壁部に押し当てて規制する、
ことを特徴とする請求項１に記載のワイヤハーネス。
【請求項３】
前記壁部は、底壁と、前記底壁から隆起して形成されたガイド壁と、を有し、前記第１の区間に対向する前記ガイド壁の上面が、前記第１の区間に対向する前記底壁の上面に対して傾斜している、
ことを特徴とする請求項２に記載のワイヤハーネス。
【請求項４】
前記第２の電線規制部は、底壁と、前記底壁の両側から立設された側壁と、を有し、前記第２の区間を前記側壁が規制する、
ことを特徴とする請求項３に記載のワイヤハーネス。
【請求項５】
前記第２の電線規制部は、一対の前記側壁が前記第２の区間を挟むことによって、前記第２の区間を規制する、
ことを特徴とする請求項４に記載のワイヤハーネス。
【請求項６】
前記第１の電線規制部及び前記第２の電線規制部は、前記プロテクタの端部から前記第１の電線規制部、前記第２の電線規制部の順で並んでおり、
前記電線または前記電線束は、その長辺が前記第１の電線規制部の前記底壁に対して傾斜するように前記第１の区間が前記ガイド壁によって規制され、前記長辺が前記第２の電線規制部の前記底壁に対して起立するように前記第２の区間が前記側壁によって規制される、
ことを特徴とする請求項４または５に記載のワイヤハーネス。
【発明の詳細な説明】
【技術分野】
【０００１】
本発明は、電線または電線束が内部に収容されるプロテクタを備えるワイヤハーネスに関する。
【背景技術】
【０００２】
自動車などの車両には、ワイヤハーネスが用いられる。ワイヤハーネスは、電線または電線束が内部に収容されるプロテクタを含んで構成される。ワイヤハーネスのプロテクタは、電線または電線束を外部の衝撃から適切に保護する役割を果たす。このために、プロテクタは、ワイヤハーネスが浮き上がったり、がたついたりしないようにその内部で電線または電線束を固定する必要がある。
【０００３】
従来のワイヤハーネスのプロテクタは、樋（とい）状に設けられ、底壁と、側壁の幅方向両側から起立する一対の側壁と、を有して電線または電線束が収容される収容空間が形成される。この種のプロテクタとしてプロテクタの長手方向の開口端の近傍の結束バンドがワイヤハーネスに直接当たらない側の一方の側壁の下半部に、内面が斜め上方を向いた傾斜壁が設けられるものが知られる（特許文献１参照）。また、このプロテクタでは、その傾斜壁の下部に、収容空間に収容したワイヤハーネスとともに結束する結束バンドを挿入するためのバンド挿入口が設けられる。
【０００４】
また、他の従来のワイヤハーネスのプロテクタとして、電線または電線束を収容可能な凹部が形成されるプロテクタ本体を有するものが知られる（特許文献２参照）。このプロテクタ本体の底壁部には、底壁部の上面より凹部内に突出する一面側で電線または電線束に当接可能である。さらに、電線または電線束を結束バンドによって固定可能な固定片が設けられる。
【０００５】
このように、特許文献１、２に記載のワイヤハーネスでは、電線または電線束をワイヤハーネスの配索方向に沿って案内しながら固定することができる。
【先行技術文献】
【特許文献】
【０００６】
【特許文献１】特許第４４８６５８９号公報
【特許文献２】特開２０１６−４６９４２号公報
【発明の概要】
【発明が解決しようとする課題】
【０００７】
しかしながら、上記特許文献１、２に記載のワイヤハーネスでは、そのプロテクタの長手方向の途中で、電線または電線束の、その捻じり方向（ロール方向）での向きを適宜変えながら固定することは考慮されない。特に電線または電線束が大径の場合、そのロール方向での向きが変化する区間でプロテクタの底壁から浮き上がらずに固定するのは難しく、上記特許文献１、２のワイヤハーネスは改善の余地があった。
【０００８】
本発明は、上述した事情に鑑みてなされたものであり、その目的は、そのロール方向での向きを適宜変えながら電線または電線束をプロテクタの底壁から浮いたりプロテクタの外郭から突出したりすることなく強固に固定することができるワイヤハーネスを提供することにある。
【課題を解決するための手段】
【０００９】
本発明の上記目的は、下記の構成により達成される。
（１）全体として断面が扁平形状の電線または電線束と、
前記電線または前記電線束が内部に収容されるプロテクタと、
を備え、
前記プロテクタは、
前記電線または前記電線束のうちの一部である第１の区間を、当該第１の区間がロール方向に回転することを規制された状態で保持する第１の電線規制部と、
前記電線または前記電線束のうちの一部である第２の区間を、当該第２の区間がロール方向に回転することを規制された状態で、且つ前記第１の区間に対して捻じれた状態で、保持する第２の電線規制部と、
を備えることを特徴とするワイヤハーネス。
（２）前記第１の電線規制部は、前記第１の区間を収容するための空間を形成する壁部と、前記壁部の少なくとも一部と前記第１の区間とを周回する結束バンドと、を有し、前記結束バンドが締め付けられることによって、前記第１の区間を前記壁部に押し当てて規制する、
ことを特徴とする（１）に記載のワイヤハーネス。
（３）前記壁部は、底壁と、前記底壁から隆起して形成されたガイド壁と、を有し、前記第１の区間に対向する前記ガイド壁の上面が、前記第１の区間に対向する前記底壁の上面に対して傾斜している、
ことを特徴とする（２）に記載のワイヤハーネス。
（４）前記第２の電線規制部は、底壁と、前記底壁の両側から立設された側壁と、を有し、前記第２の区間を前記側壁が規制する、
ことを特徴とする（３）に記載のワイヤハーネス。
（５）前記第２の電線規制部は、一対の前記側壁が前記第２の区間を挟むことによって、前記第２の区間を規制する、
ことを特徴とする（４）に記載のワイヤハーネス。
（６）前記第１の電線規制部及び前記第２の電線規制部は、前記プロテクタの端部から前記第１の電線規制部、前記第２の電線規制部の順で並んでおり、
前記電線または前記電線束は、その長辺が前記第１の電線規制部の前記底壁に対して傾斜するように前記第１の区間が前記ガイド壁によって規制され、前記長辺が前記第２の電線規制部の前記底壁に対して起立するように前記第２の区間が前記側壁によって規制される、
ことを特徴とする（４）または（５）に記載のワイヤハーネス。
【００１０】
上記（１）のワイヤハーネスの構成によれば、第１電線規制部が第１の区間をロール方向に規制して保持する一方、第２電線規制部が第１の区間に対して捻じれた状態でさらにロール方向に規制して保持する。このため、そのロール方向での向きを適宜変えながら電線または電線束をプロテクタの底壁から浮いたりプロテクタの外郭から突出したりすることなく強固に固定することができる。これにより、電線または電線束を適宜捻じりながら的確に配索することができる。そして、作業工数を削減して配索の作業性を向上させるとともにワイヤハーネスの品質を高めることができる。
上記（２）のワイヤハーネスの構成によれば、結束バンドが締め付けられることによって、第１の区間を壁部に押し当てて規制する。このため、第１及び第２の区間の間での捻じれに伴うロール方向での反力（復元力）に抗して第１の区間をプロテクタの壁部に強制的に押さえ付けるので、より安定的に電線または電線束を固定することができる。
上記（３）のワイヤハーネスの構成によれば、第１の区間に対向するガイド壁の上面が、第１の区間に対向する底壁の上面に対して傾斜している。このため、ガイド壁の上面が電線または電線束に接触して、第１及び第２の区間の間の捻じれに対してそのロール方向にスムーズに案内することができる。これにより、電線または電線束が大径であってもそのロール方向での向きを適宜変えながらより強固且つ安定的に電線または電線束をプロテクタに固定することができる。
上記（４）のワイヤハーネスの構成によれば、第２の電線規制部は、底壁と、底壁の両側から立設された側壁と、を有し、第２の区間を側壁が規制する。このため、第１及び第２の区間での捻じれに伴うロール方向での反力により強固に抗して第２の区間をより安定して保持することができる。
上記（５）のワイヤハーネスの構成によれば、第２の電線規制部は、一対の側壁が第２の区間を挟むことによって、第２の区間を規制する。このため、より一層強固に第２の区間を保持することができる。
上記（６）のワイヤハーネスの構成によれば、第１の電線規制部及び第２の電線規制部は、プロテクタの端部から第１の電線規制部、第２の電線規制部の順で並んでいる。そして電線または電線束は、その長辺が第１の電線規制部の底壁に対して傾斜するように第１の区間がガイド壁によって規制され、その長辺が第２の電線規制部の底壁に対して起立するように第２の区間が側壁によって規制される。このため、電線または電線束をプロテクタによって段階的に規制することで、ロール方向での反力に対し小さな回転モーメントで保持することができる。これにより、電線または電線束が大径である場合でも、より強固且つ安定的に電線または電線束をプロテクタに固定することができる。
【発明の効果】
【００１１】
本発明のワイヤハーネスの構成によれば、第１電線規制部が第１の区間をロール方向に規制して保持する一方、第２電線規制部が第１の区間に対して捻じれた状態でさらにロール方向に規制して保持する。このため、そのロール方向での向きを適宜変えながら電線または電線束をプロテクタの底壁から浮いたりプロテクタの外郭から突出したりすることなく強固に固定することができる。これにより、電線または電線束を適宜捻じりながら的確に配索することができる。そして、作業工数を削減して配索の作業性を向上させるとともにワイヤハーネスの品質を高めることができる。
【００１２】
以上、本発明について簡潔に説明した。さらに、以下に説明される発明を実施するための形態（以下、「実施形態」という。）を添付の図面を参照して通読することにより、本発明の詳細はさらに明確化されるだろう。
【図面の簡単な説明】
【００１３】
【図１】図１は、本発明の実施形態に係るワイヤハーネスの全体構成を説明する分解斜視図である。
【図２】図２は、図１に示すワイヤハーネスの要部を説明する上視図である。
【図３】図３は、図２に示すＡ−Ａ断面図である。
【図４】図４は、図１に示すプロテクタの第１の電線規制部及び第２の電線規制部を説明する要部拡大斜視図である。
【図５】図５は、図２に示すＢ−Ｂ断面図である。
【図６】図６は、図２に示すＣ−Ｃ断面図である。
【図７】図７は、本発明の実施形態に係る変形例の第２の電線規制部を説明する断面図である。
【発明を実施するための形態】
【００１４】
本発明のワイヤハーネス１に関する具体的な実施形態について、各図を参照しながら以下に説明する。
【００１５】
＜ワイヤハーネスの構成＞
図１〜図３を参照して、本実施形態に係るワイヤハーネス１の構成について説明する。図１は、本実施形態に係るワイヤハーネス１の全体構成を説明する分解斜視図である。図２は、図１に示すワイヤハーネス１の要部を説明する上視図である。図３は、図２に示すＡ−Ａ断面図である。
【００１６】
図１及び図２に示すように、本実施形態に係るワイヤハーネス１は、自動車などの車両に搭載される。ワイヤハーネス１は、電線束１１と、この電線束１１が内部に収容されるプロテクタ２０と、を含んで構成される。本実施形態では、電線束１１は、２本の電線１２を有し、これら２本の電線が束ねられて構成される。電線１２は、例えば車両に搭載される電動機やその他の機器に電力供給するための電源線であり、他の電線と比べて大径に設けられ、曲げ剛性が高いものである。２本の電線１２は、全体として断面が扁平形状になるように一体に束ねられる。電線１２は、複数の導電線１３と、複数の導電線１３を同心に被覆する絶縁性の被覆部１４と、を含んで構成される。２本の電線１２は、この束ねられた状態でその外郭を全体的にテープＴで巻回され被覆される。すなわち、この被覆により、全体として断面が扁平形状の電線束１１が設けられる。
【００１７】
なお、本実施形態では、複数の電線１２を束ねて電線束（電線群）１１としてこれら複数の電線１２をプロテクタ２０の収容空間Ｓ１内に一体に配索させるが、これに限定されない。複数ではなく１本の電線１２でもよく、その場合には電線１２は全体として断線が扁平形状に形成されるとよい。
【００１８】
プロテクタ２０は、略長尺状に形成され、例えば車両ボディの平坦面上に載置される。プロテクタ２０は、上面部で上方に向かって開口する上部開口部２４を有し、その内部で電線束１１を収容する収容空間Ｓ１が形成されるプロテクタ本体２１と、プロテクタ本体２１の上部開口部２４を閉塞する蓋体４０と、を含んで構成される。蓋体４０は、プロテクタ本体２１の上部開口部２４の形状に対応して合成樹脂によって一体成形される。また、蓋体４０は、後述するプロテクタ本体２１の両側壁２３に対し係止爪によって着脱自在に取り付けられる。
【００１９】
なお、プロテクタ２０のプロテクタ本体２１と蓋体４０とは、その収容空間Ｓ１で電線束１１または電線１２を収容可能であれば、その形状や構造は特に限定されない。本発明の目的が達成できれば種々の形状のプロテクタ２０を採用することができる。
【００２０】
図１に示すように、プロテクタ本体２１は、合成樹脂によって一体成形されており、幅方向で略直角に屈曲する屈曲部２６を１つ有して上面視略Ｌ字状に形成される。プロテクタ本体２１は、車両ボディの平坦面に対する載置面を構成する底壁２２と、底壁２２の幅方向両側から上方に向けてそれぞれ立設される一対の側壁２３と、を有する。また、プロテクタ本体２１は、長手方向で視て、その端部それぞれにおいて長手方向で開口する端部開口部２５と、一方の端部開口部２５（図１及び図２で左側）に対しプロテクタ本体２１の長手方向に隣接して配置される第１の電線規制部２７と、第１の電線規制部２７と屈曲部２６との間に配置される第２の電線規制部３６と、第１及び第２の電線規制部２７，３６とを連結する連結部３７と、を含む。すなわち、本実施形態では、第１の電線規制部２７及び第２の電線規制部３６は、プロテクタ２０（プロテクタ本体２１）の端部から第１の電線規制部２７、第２の電線規制部３６の順で並んで配置される。
【００２１】
そして、図３に示すように、一方の端部開口部２５では、２本の電線１２が上下（高さ）方向よりも幅方向に沿って並んだ状態で収容される。すなわち、断面が扁平形状の電線束１１はその長辺が幅方向に沿って配置される。そして、第１の電線規制部２７及び第２の電線規制部３６の間で電線束１１は捻じられており、そのロール方向での向きが変えられて保持される（図５及び図６参照）。
【００２２】
＜第１の電線規制部、第２の電線規制部、及び連結部の構成＞
さらに図４〜図６を参照して、第１の電線規制部２７、第２の電線規制部３６、及び連結部３７の構成について説明する。図４は、図１に示すプロテクタ２０の第１の電線規制部２７及び第２の電線規制部３６を説明する要部拡大斜視図である。図５は、図２に示すＢ−Ｂ断面図である。図６は、図２に示すＣ−Ｃ断面図である。
【００２３】
図４及び図５に示すように、第１の電線規制部２７は、その収容空間Ｓ１の一部を構成する。第１の電線規制部２７は、電線束１１の一部分である電線束１１の第１の区間１１Ａを保持する。第１の電線規制部２７は、プロテクタ本体２１の底壁２２及び一対の側壁２３の一部分を含んで構成される。
【００２４】
具体的には、第１の電線規制部２７は、壁部２８と、壁部２８の一部と電線束１１とを周回して取り付けられる結束バンド３３と、プロテクタ本体２１の一対の側壁２３と、を有して構成される。第１の電線規制部２７の壁部２８は、プロテクタ本体２１の底壁２２（底壁２２の一部分）と、この底壁２２から隆起して形成されたガイド壁２９と、を有して構成される。ガイド壁２９は、電線束１１の第１の区間１１Ａに対向する位置に形成された略矩形状の上面３０と、上面３０におけるプロテクタ本体２１の長手方向両側に形成された略円弧状の一対の端面３１と、を有する。また、ガイド壁２９の上面３０は、電線束１１の第１の区間１１Ａに対向する底壁２２の上面に対して傾斜して設けられる。このため、上面３０は、図５に示すように、図中左側から右側にかけて下がるように傾斜している。
【００２５】
ガイド壁２９の上面３０の幅方向両端部には、一対のバンド挿通穴３２が形成される。また、ガイド壁２９の上面３０の裏側には、図５に示すように、その上面３０及び一対の端面３１によって画成されたバンド挿通空間Ｓ２が設けられる。結束バンド３３は、一対のバンド挿通穴３２及びバンド挿通空間Ｓ２に挿通されて締め付けられることによって、電線束１１の第１の区間１１Ａをその電線束１１の側面部で壁部２８のガイド壁２９の上面３０に押し当てて規制する。このようにして、第１の電線規制部２７は電線束１１の第１の区間１１Ａを、この第１の区間１１Ａがロール方向に回転することを規制された状態で保持する。また、このとき、電線束１１は、その長辺が第１の電線規制部２７の底壁２２に対して傾斜して保持される。
【００２６】
なお、結束バンド３３は、長尺状のバンド部３４と、このバンド部３４の裏面にその長手方向に連続して設けられた係止部（不図示）と、バンド部３４の一端部に設けられ、バンド部３４の他端部が挿通されるとともに係止部と係合する係止爪（不図示）が形成されたロック部３５と、を有する。
【００２７】
続いて、第２の電線規制部３６について説明する。図４及び図６に示すように、第２の電線規制部３６は、その収容空間Ｓ１の一部を構成する。第２の電線規制部３６は、電線束１１の一部であり第１の区間１１Ａに連続する第２の区間１１Ｂを保持する。第２の区間１１Ｂは、図１に示すように、電線束１１がプロテクタ２０の収容空間Ｓ１に収容された状態において、第１の区間１１Ａよりもプロテクタ２０の端部から離れた箇所にあたる。第２の電線規制部３６は、プロテクタ本体２１の底壁２２及び側壁２３の一部分を含んで構成される。
【００２８】
さらに、第２の電線規制部３６は、第１の電線規制部２７に比べて幅狭に設けられる。具体的には、第２の電線規制部３６の一方の側壁２３（図２で上側）は第１の電線規制部２７の一方の側壁２３（図２で上側）と略面一で配設される。その一方、第２の電線規制部３６の他方の側壁２３（図２で下側）は第１の電線規制部２７の他方の側壁２３（図２で下側）に対し、幅方向内側にオフセットされて配設される（図２参照）。
【００２９】
続いて、連結部３７について説明する。図２に示すように、連結部３７も同様に、プロテクタ本体２１の底壁２２及び側壁２３の一部分を含んで構成される。連結部３７の一方の側壁２３（図２で上側）も同様に第１の電線規制部２７の一方の側壁２３（図２で上側）と略面一で配設される。その一方、連結部３７の他方の側壁２３（図２で下側）は、プロテクタ本体２１の長手方向に沿って第１の電線規制部２７から第２の電線規制部３６に進むに従って幅狭となるように傾斜して設けられる。そして、連結部３７の他方の側壁２３は、第１及び第２の電線規制部２７，３６の他方の側壁２３にそれぞれ連結する（図２参照）。
【００３０】
電線束１１は、上述した連結部３７の間で捻じられて、そのロール方向での向きが変わる。その結果、電線束１１の第２の区間１１Ｂは、その第１の区間１１Ａに対して捻じれた状態で配索される。そして、この捻じれた状態で、第２の電線規制部３６は、第２の電線規制部３６の一対の側壁２３の両方で電線束１１の第２の区間１１Ｂに当接して挟持する。この挟持により、第２の電線規制部３６は、電線束１１の第２の区間１１Ｂがロール方向に回転することを規制された状態で電線束１１の第２の区間１１Ｂを保持する。
【００３１】
このようにして、第１及び第２の電線規制部２７，３６によって、全体として断面が扁平形状の電線束１１は、その長辺が第１の電線規制部２７の底壁２２に対して傾斜するようにその第１の区間１１Ａがガイド壁２９によって規制される。同時に、電線束１１は、その長辺が第２の電線規制部３６の底壁２２に対して起立するようにその第２の区間１１Ｂが側壁２３によって規制される。また、電線束１１は、第１及び第２の電線規制部２７，３６の間で捻じられた状態で規制されて保持される。
【００３２】
＜本実施形態のワイヤハーネスの利点＞
以上説明したように本実施形態のワイヤハーネス１によれば、プロテクタ２０は、第１の電線規制部２７が、電線束１１のうちの一部である第１の区間１１Ａを、この第１の区間１１Ａがロール方向に回転することを規制された状態で保持する。さらに、第２の電線規制部３６が、電線束１１のうちの一部である第２の区間１１Ｂを、この第２の区間１１Ｂがロール方向に回転することを規制された状態で、且つ第１の区間１１Ａに対して捻じれた状態で、保持する。このため、第１の電線規制部２７が第１の区間１１Ａをロール方向に規制して保持する一方、第２の電線規制部３６が第１の区間１１Ａに対して捻じれた状態でさらにロール方向に規制して保持する。この結果、そのロール方向での向きを適宜変えながら電線１２または電線束１１をプロテクタ２０の底壁２２から浮いたりプロテクタ２０の外郭から突出したりすることなく強固に固定することができる。これにより、電線１２または電線束１１を適宜捻じりながら的確に配索することができる。こうして、作業工数を削減して配索の作業性を向上させるとともにワイヤハーネス１の品質を高めることができる。
【００３３】
また、本実施形態のワイヤハーネス１によれば、結束バンド３３が締め付けられることによって、第１の区間１１Ａを壁部２８に押し当てて規制する。このため、第１及び第２の区間１１Ａ，１１Ｂの間での捻じれに伴うロール方向での反力（復元力）に抗して第１の区間１１Ａをプロテクタ２０の壁部２８に強制的に押さえ付ける。これにより、より安定的に電線束１１を固定することができる。
【００３４】
また、本実施形態のワイヤハーネス１によれば、第１の区間１１Ａに対向するガイド壁２９の上面３０が、第１の区間１１Ａに対向する底壁２２の上面に対して傾斜している。このため、ガイド壁２９の上面３０が電線束１１に接触して、第１及び第２の区間１１Ａ，１１Ｂの間の捻じれに対してそのロール方向でスムーズに案内することができる。これにより、電線１２または電線束１１が大径であってもそのロール方向での向きを適宜変えながらより強固且つ安定的に電線束１１をプロテクタ２０に固定することができる。
【００３５】
また、本実施形態のワイヤハーネス１によれば、第２の電線規制部３６は、底壁２２と、底壁２２の両側から立設された側壁２３と、を有し、第２の区間１１Ｂを側壁２３が規制する。このため、第１及び第２の区間１１Ａ，１１Ｂでの捻じれに伴うロール方向での反力により強固に抗して第２の区間１１Ｂをより安定して保持することができる。
【００３６】
また、本実施形態のワイヤハーネス１によれば、第２の電線規制部３６は、一対の側壁２３が第２の区間１１Ｂを挟む。このため、第２の区間１１Ｂを規制するため、より一層強固且つ安定的に第２の区間１１Ｂを保持することができる。
【００３７】
また、本実施形態のワイヤハーネス１によれば、第１の電線規制部２７及び第２の電線規制部３６は、プロテクタ２０の端部から第１の電線規制部２７、第２の電線規制部３６の順で並んでいる。電線束１１は、その長辺が第１の電線規制部２７の底壁２２に対して傾斜するように第１の区間１１Ａがガイド壁２９によって規制される。そして、その長辺が第２の電線規制部３６の底壁２２に対して起立するように第２の区間１１Ｂが側壁２３によって規制される。このため、電線束１１をプロテクタ２０によって段階的に規制することで、ロール方向での反力に対し小さな回転モーメントで保持することができる。これにより、電線１２または電線束１１が大径である場合でも、より強固且つ安定的に電線１２または電線束１１をプロテクタ２０に固定することができる。
【００３８】
なお、第２の電線規制部３６を以下のように構成してもよい。図７は、本発明の実施形態に係る変形例の第２の電線規制部を説明する断面図である。図７に示すように、第２の電線規制部３６は、一対の側壁２３の両方が電線束１１の第２の区間１１Ｂに当接して挟持するのではなく、一対の側壁２３のうち一方のみが電線束１１の第２の区間１１Ｂに当接して電線束１１を捻じって保持するようにしてもよい。図１に示すように、電線束１１が屈曲部２６によって屈曲する場合には、一対の側壁２３のうち一方のみが電線束１１の第２の区間１１Ｂに当接することによって、第２の電線規制部３６は電線束１１を捻じった状態で保持することができる。このとき、例えば、第１及び第２の電線規制部２７，３６の一方の側壁２３間でのオフセット量を、上記実施形態の場合と比べて小さく設けることができる。これにより、第２の電線規制部３６の収容空間Ｓ１は幅広となる。こうして、太さの異なる種々の電線束１１に対して本発明のプロテクタを構成することができる。
【００３９】
以上で具体的実施形態の説明を終えるが、本発明の態様はこれら実施形態に限定されるものではなく、適宜、変形、改良などが可能である。
【００４０】
ここで、上述した本発明に係るワイヤハーネス１の実施形態の特徴をそれぞれ以下［１］〜［６］に簡潔に纏めて列記する。
［１］全体として断面が扁平形状の電線（１２）または電線束（１１）と、
前記電線（１２）または前記電線束（１１）が内部に収容されるプロテクタ（２０）と、
を備え、
前記プロテクタ（２０）は、
前記電線（１２）または前記電線束（１１）のうちの一部である第１の区間（１１Ａ）を、当該第１の区間（１１Ａ）がロール方向に回転することを規制された状態で保持する第１の電線規制部（２７）と、
前記電線（１２）または前記電線束（１１）のうちの一部である第２の区間（１１Ｂ）を、当該第２の区間（１１Ｂ）がロール方向に回転することを規制された状態で、且つ前記第１の区間（１１Ａ）に対して捻じれた状態で、保持する第２の電線規制部（３６）と、
を備えることを特徴とするワイヤハーネス（１）。
［２］前記第１の電線規制部（２７）は、前記第１の区間（１１Ａ）を収容するための空間を形成する壁部（２８）と、前記壁部（２８）の少なくとも一部と前記第１の区間（１１Ａ）とを周回する結束バンド（３３）と、を有し、前記結束バンド（３３）が締め付けられることによって、前記第１の区間（１１Ａ）を前記壁部（２８）に押し当てて規制する、
ことを特徴とする［１］に記載のワイヤハーネス（１）。
［３］前記壁部（２８）は、底壁（２２）と、前記底壁（２２）から隆起して形成されたガイド壁（２９）と、を有し、前記第１の区間（１１Ａ）に対向する前記ガイド壁（２９）の上面（３０）が、前記第１の区間（１１Ａ）に対向する前記底壁（２２）の上面に対して傾斜している、
ことを特徴とする［２］に記載のワイヤハーネス（１）。
［４］前記第２の電線規制部（３６）は、底壁（２２）と、前記底壁（２２）の両側から立設された側壁（２３）と、を有し、前記第２の区間（１１Ｂ）を前記側壁（２３）が規制する、
ことを特徴とする［３］に記載のワイヤハーネス（１）。
［５］前記第２の電線規制部（３６）は、一対の前記側壁（２３）が前記第２の区間（１１Ｂ）を挟むことによって、前記第２の区間（１１Ｂ）を規制する、
ことを特徴とする［４］に記載のワイヤハーネス（１）。
［６］前記第１の電線規制部（２７）及び前記第２の電線規制部（３６）は、前記プロテクタ（２０）の端部から前記第１の電線規制部（２７）、前記第２の電線規制部（３６）の順で並んでおり、
前記電線（１２）または前記電線束（１１）は、その長辺が前記第１の電線規制部（２７）の前記底壁（２２）に対して傾斜するように前記第１の区間（１１Ａ）が前記ガイド壁（２９）によって規制され、前記長辺が前記第２の電線規制部（３６）の前記底壁（２２）に対して起立するように前記第２の区間（１１Ｂ）が前記側壁（２３）によって規制される、
ことを特徴とする［４］または［５］に記載のワイヤハーネス（１）。
【符号の説明】
【００４１】
１        ワイヤハーネス
１１      電線束
１１Ａ    第１の区間
１１Ｂ    第２の区間
１２      電線
１３      導電線
１４      被覆部
２０      プロテクタ
２１      プロテクタ本体
２２      底壁
２３      側壁
２４      上部開口部
２５      端部開口部
２６      屈曲部
２７      第１の電線規制部
２８      壁部
２９      ガイド壁
３０      上面
３１      端面
３２      バンド挿通穴
３３      結束バンド
３４      バンド部
３５      ロック部
３６      第２の電線規制部
３７      連結部
４０      蓋体
Ｓ１      収容空間
Ｓ２      バンド挿通空間
Ｔ        テープ
【図１】
2020137212.tif 000003
【図２】
2020137212.tif 000004
【図３】
2020137212.tif 000005
【図４】
2020137212.tif 000006
【図５】
2020137212.tif 000007
【図６】
2020137212.tif 000008
【図７】
2020137212.tif 000009